(57)【特許請求の範囲】
【請求項１】
複数の遊技機からの遊技情報を集約する遊技場管理装置と、
遊技場管理装置と各遊技機との間の遊技情報の通信を中継する複数の台管理装置と、
遊技場管理装置と台管理装置の間、又は２台の台管理装置の間に接続され、遊技場管理装置と台管理装置の間に接続される場合は遊技場管理装置と台管理装置の間の遊技情報の通信を中継し、２台の台管理装置の間に接続される場合は当該２台の台管理装置の間の遊技情報の通信を中継するとともに、商用電力を必要とされる電圧に変換して複数の遊技機又は遊技機の周辺装置に電力を供給する電源装置を有しているシステムであり、
電源装置が、遊技機管理装置及び台管理装置と別に用意されておりケーブルの着脱によってシステムへ接続可能であるとともに、電源装置からの電力が台管理装置を通過して複数の遊技機又は遊技機の周辺装置に供給されることを特徴とする電力供給システム。
【請求項２】
複数の遊技機からの遊技情報を集約する遊技場管理装置と、
遊技場管理装置と各遊技機との間の遊技情報の通信を中継する複数の台管理装置と、を有しているシステムであり、
遊技場管理装置と台管理装置の間、又は２台の台管理装置の間に接続され、遊技場管理装置と台管理装置の間に接続される場合は遊技場管理装置と台管理装置の間の遊技情報の通信を中継し、２台の台管理装置の間に接続される場合は当該２台の台管理装置の間の遊技情報の通信を中継するとともに、商用電力を必要とされる電圧に変換して複数の遊技機又は遊技機の周辺装置に電力を供給する電源装置を接続可能であり、
電源装置が、遊技機管理装置及び台管理装置と別に用意されておりケーブルの着脱によってシステムへ接続可能であるとともに、電源装置からの電力が台管理装置を通過して複数の遊技機又は遊技機の周辺装置に供給されることを特徴とする電力供給システム。
【請求項３】
台管理装置内には電源装置から供給される電圧を台管理装置が必要とする電圧に変換する手段が内蔵されていることを特徴とする請求項１又は２に記載の電力供給システム。
【請求項４】
請求項１から３のいずれか１項に記載の電力供給システムに使用する台管理装置であり、電源装置に接続される電力ケーブルと、遊技機又は遊技機の周辺装置に接続される電力ケーブルに接続され、内部で両電力ケーブルを接続している台管理装置。
【請求項５】
請求項１から３のいずれか１項に記載の電力供給システムのための台管理装置であり、電源装置に接続される電力ケーブルと、遊技機又は遊技機の周辺装置に接続される電力ケーブルと、遊技場管理装置に接続される通信ケーブルと、遊技機に接続される通信ケーブルに接続され、内部で両電力ケーブルを接続し、両通信ケーブル間で通信の中継を行う中継装置を内蔵していることを特徴とする台管理装置。
【請求項６】
電源装置に接続される電力ケーブルと、遊技機に接続される電力ケーブルが、台管理装置に内蔵されているスイッチ手段を介して接続されることを特徴とする請求項４または５に記載の台管理装置。
【請求項７】
電源装置または他の台管理装置に接続される電力ケーブルと通信ケーブルが、ケーブル束にまとめられていることを特徴とする請求項４から６のいずれか１項に記載の台管理装置。
【請求項８】
請求項１から３のいずれか１項に記載の電力供給システムのための電源装置であって２台の台管理装置の間に接続される電源装置であり、商用交流電圧を直流電圧に変換する変換器と、台管理装置に接続する電力ケーブルを接続する電力用接続端子と、その台管理装置に接続する通信ケーブルを接続する第１の通信用接続端子と、もう一台の台管理装置に接続する通信ケーブルを接続する第２の通信用接続端子を備え、第１の通信用接続端子と第２の通信用接続端子間が通信信号を通過させる中継部材で接続されている電源装置。
【請求項９】
複数の電源装置を有しており、１台の遊技場管理装置にｎ×ｍ台の台管理装置が接続されており、１台の遊技場管理装置当りｎ台の電源装置が用いられ、各電源装置はｍ台の台管理装置に電力を供給し、うちの１台の電源装置は遊技場管理装置と台管理装置の間に接続され、残りのｎ−１台の電源装置は台管理装置と台管理装置の間に接続されていることを特徴とする請求項１から３のいずれか１項に記載の電力供給システム。
【発明の詳細な説明】
【０００１】
【発明の属する技術分野】
本発明は、遊技場の遊技機に電力を供給するシステムに関する。特に、遊技機と遊技場管理装置との間の通信を中継する台管理装置を利用して電力を供給するシステムに関する。また、そのシステムに適した台管理装置と電源装置にも関する。
【０００２】
【従来の技術】
パチンコホール等の遊技場で用いられる遊技機群は、遊技場管理装置（ホールコンピュータと通称される）で管理されている。多数の遊技機群からの通信を遊技場管理装置に集約するために中継装置が用いられる。最も普通には、数台の遊技機が１台の第１段階の中継装置に接続され、数台の第１段階の中継装置が１台の第２段階の中継装置に接続され、数台の第２段階の中継装置が遊技場管理装置に接続されることが多い。第２段階の中継装置は、通常は「島」と称される一群の遊技機群を統括することから島管理装置（島ユニット）と通称され、それに対比する意味で、第１段階の中継装置は台管理装置（台ユニット）と通称される。もっとも、上記の２段階の中継は、典型的な例ではあるものの、唯一のものではなく、１段階で中継する場合もあれば３段階以上で中継することもある。本明細書では、遊技機に直接接続される最初の中継装置を台管理装置といい、１段階の中継システムの場合には直接に遊技場管理装置に接続され、２段階の中継システムの場合には島管理装置を介して遊技場管理装置に接続される。台管理装置は、遊技機に接続される通信ケーブルと、必要に応じて他の中継装置を介して遊技場管理装置に接続される通信ケーブルに接続されて用いられる。
【０００３】
遊技機の周辺には、遊技球の補給を停止させたり開始させたりするための電磁ソレノイドや、遊技機の扉を開閉するための電磁ロック等、多種類の電力消費型機器が設置されており、これらに電力を供給する必要がある。本明細書で「遊技機に電力を供給する」という場合、遊技機及び又は遊技機の周辺装置に電力を供給することをいう。遊技機の周辺装置に電力を供給する場合、遊技機自体には別の電力供給システムで電力を供給してもよく、あるいは、本発明の電力供給システムで電力を供給してもよい。
通常は、前記した台管理装置に電源装置を組込み、台管理装置で交流から直流に変換し、台管理装置で変換された直流電圧を台管理装置から遊技機に供給している。
【０００４】
【発明が解決しようとする課題】
遊技機一台あたりの電力消費型機器の総消費電力は、遊技場により、あるいは、遊技機の種類によって大きく異なる。セキュリティ対策に力を入れ、演出に力を入れている遊技場と遊技機では消費電力が大きい。これに対処するために、現状では、消費電力が大きい場合でも対応できるだけの容量を持つ電源装置を台管理装置に組込んでおく必要がある。
このために、消費電力が小さな遊技場にとっては（中には遊技機の周辺に電力消費型機器を有しないために電力を供給する必要のない遊技場もある）過剰品質の台管理装置を購入せざるを得ず、不合理である。また、遊技場設備の改造によって消費電力が増大するときに台管理装置が対応できないことも生じる。
【０００５】
本発明は上述の事情に鑑みてなされたものであって、電力容量の不足に対して容易に対応できる電力供給システムを構築することによって、過大容量の電源装置を予め用意しておく必要をなくすことにある。
【０００６】
【課題を解決するための手段】
遊技機に供給する電力経路を、台管理装置と無関係にすれば、台管理装置に電源回路を設ける必要がなく、電力容量が不足するから台管理装置を交換するといった事態が生じないようにできる。しかしながら、台管理装置は遊技機に近接して置かれ、遊技機との間で通信ケーブルが接続され、また台管理装置自体に電力を供給するケーブルを接続する必要がある。これらとは別に電源装置を設け、その電源装置と遊技機を接続しようとすると、ケーブル類の取りまわしが煩雑なものとなり、接続のための工数も増えてしまう。やはり台管理装置からのケーブルを遊技機に接続して遊技機に電力を供給することが好ましい。
【０００７】
そこで、請求項１の電力供給システムでは、遊技機と遊技場管理装置との間の通信を中継する台管理装置及び遊技場管理装置とは別に、遊技機に電力を供給する電源装置を用意する一方、電源装置からの電力を台管理装置を通過させて遊技機に供給する。この電源装置は、遊技場管理装置と台管理装置の間、又は２台の台管理装置の間に接続され、遊技場管理装置と台管理装置の間に接続される場合は遊技場管理装置と台管理装置の間の遊技情報の通信を中継し、２台の台管理装置の間に接続される場合は当該２台の台管理装置の間の遊技情報の通信を中継するとともに、商用電力を必要とされる電圧に変換して複数の遊技機又は遊技機の周辺装置に電力を供給する。この電源装置は、ケーブルの着脱によってシステムへ接続可能である。
この電力供給システムによると、電源装置と台管理装置、台管理装置と遊技機、台管理装置と遊技場管理装置を接続することによって、通信ケーブルと電力ケーブルの接続が完成し、電源装置と遊技機を直接接続する必要がない。このために、接続ケーブル類の取りまわしが煩雑なものとなったり、接続工数が従来に比して増えることがない。しかも、台管理装置は基本的に電力供給と無関係であり、電力容量が不足するからといって台管理装置を交換する必要はなく、通信系とは無関係に電力設備側のみで対応することができる。
【０００８】
上記の場合、電源装置から供給される電圧を台管理装置が必要とする電圧に変換する手段を台管理装置に内蔵させておくことによって、台管理装置自身のための電力ケーブルをなくすことができる。
【０００９】
本発明の電力供給システムを構築するために、電源装置に接続される電力ケーブルと、遊技機に接続される電力ケーブルに接続され、内部で両電力ケーブルを接続している台管理装置が創作された。
この台管理装置は、遊技機に接続される通信ケーブルと、直接ないし中継器を介して遊技場管理装置に接続される通信ケーブルに接続され、両通信ケーブル間の通信を中継する中継装置を内蔵していることから、その装置に上記の電力供給用装置類が付加された装置ということもできる。
この台管理装置を用いると、遊技機と台管理装置と遊技場管理装置をケーブルで接続することで通信系と電力系の接続が完了する利点と、台管理装置を実質的に電力供給システムから切り離す利点がともに得られる。
電源装置に接続される電力ケーブルと、遊技機に接続される電力ケーブルは常時接続しておいてもよいが、スイッチ手段を介して接続してもよい。この場合、スイッチがオンすることによって、電源装置から供給される電圧が遊技機に接続される電力ケーブルに加えられる。
遊技機の周辺に電力消費型機器が配置されていない遊技場の場合、遊技機と台管理装置の間に電力ケーブルが接続されない。そのような遊技場でもこの台管理装置を設置しておくと、いつでも遊技機の周辺に電力消費型機器を配置することが可能となる。この場合、最初には台管理装置に電力を供給できる最小容量の電源装置を用いることができ、電力消費が増えて容量不足となったときに、電源装置のみを交換することで電力需要の増大に対応することができる。
【００１０】
台管理装置が、電源装置から供給される電圧を台管理装置が必要とする電圧に変換する手段を内蔵していると、台管理装置自身のための電力ケーブルをなくすことができる。また、遊技場管理装置や他の台管理装置に接続される電力ケーブルと通信ケーブルがケーブル束にまとめられていると、台管理装置と遊技機等を接続するケーブル類が整理され、接続作業が容易化される。
【００１１】
電源装置が、商用交流電圧を直流電圧に変換する変換器と、台管理装置に接続する電力ケーブルを接続する電力用接続端子と、その台管理装置に接続する通信ケーブルを接続する第１の通信用接続端子と、もう一台の台管理装置に接続する通信ケーブルを接続する第２の通信用接続端子を備え、第１の通信用接続端子と第２の通信用接続端子間が通信信号を通過させる中継部材で接続されていると、電源装置をＬＡＮシステムに組込むことによって、通信系のケーブル配線と電力系のケーブル配線が完了する。
【００１２】
【発明の実施の形態】
（形態１）  １台の島管理装置にｎ×ｍ台の台管理装置が接続されており、１台の島管理装置当りｎ台の電源装置が用いられ、各電源装置はｍ台の台管理装置に電力を供給し、うちの１台の電源装置は島管理装置と台管理装置の間に接続され、残りのｎ−１台の電源装置は台管理装置と台管理装置の間に接続される。ここでｎとｍは１以上の任意の整数とすることができる。
この場合、通信ケーブルと電力ケーブルが束になったものを利用でき、しかも必要に応じて電源装置の数を増やすことによって電力需要の増大に対応することができる。
【００１３】
【実施例】
以下、本発明の実施例を図に基づいて説明する。図１は、遊技機設置島１の概略を示す斜視図である。パチンコホール（遊技場）に設けられた遊技機設置島１には多数のパチンコ遊技機（遊技機）２が背中合わせの状態で横方向に並べて設置されている。図１の場合、４台の遊技機２が１台の台ユニット３（台管理装置）に接続されており、４台の遊技機２の稼働状況を示す遊技情報が台ユニット３に取得される。各遊技機設置島１には複数の台ユニット３が配置されており、各遊技機設置島１には１台の島ユニット４（島管理装置であって図２に示される）が設置されている。遊技機設置島１に配置されている複数の台ユニット３が１台の島ユニット４に接続され、遊技機設置島１に属する複数の遊技機２の稼働状況を示す遊技情報が島ユニット４に取得される。
【００１４】
図２は、パチンコホールの情報を管理するネットワークシステム（ＬＡＮ）の一部を示すブロック図である。同図に示すように、ホールコンピュータ１０（遊技場管理装置）に遊技機設置島１の数に等しい数の島ユニット４が接続され、各島ユニット４に複数の台ユニット３が接続され、各台ユニット３に４台の遊技機２が接続されている。遊技機からの遊技情報は、第１段階では台ユニット３によって中継され、第２段階では島ユニット４によって中継されて、ホールコンピュータ１０に集約される。即ち、階層的なネットワークが構築されている。
島ユニット４は、主として通信ケーブルで伝達する情報の発信と受信と送発信タイミングを制御する通信中継用のコンピュータシステムであり、商用電源に接続されて用いられる。
台ユニット３も、情報の発信と受信と送発信タイミングを制御する通信中継用のコンピュータシステムであるが、島ユニット４と台ユニット３間、あるいは、２台の台ユニット３間に設置される電源ユニット５（電源装置）からの電力によって駆動される。電源ユニット５は、商用電源に接続されて用いられる。
図２の場合、各電源ユニット５は４台の台ユニットに電力を供給する。ネットワークシステム（ＬＡＮ）の上では、各電源ユニット５はＬＡＮケーブル（通信ケーブル）を流れる通信を通過させるだけで、通信処理系には関与しない。
図２に示される遊技機２は、遊技機とその周辺の電力消費型機器を総称するものであり、例えば、遊技球の補給を禁止したり許容したりする電磁ソレノイドや扉開閉用の電磁ロックなどを含む。電磁ソレノイドや電磁ロック等は、台ユニット３で制御され、動作するのに必要な電力は台ユニット３を介して電源ユニット５から供給される。遊技機本体には別のシステムで電力が供給される。
【００１５】
島ユニット４は、図３に示すように、通信用接続端子４ｃ、４ｂと、通信部４ａを備えている。通信部４ａは、台ユニット３とホールコンピュータ１０の間の通信を中継するものであり、通信インターフェースを備えている。なお、島ユニット４は、通信部４ａに給電するための電源部（図示省略）を備えており、商用電源のＡＣ１００ＶをＩＣ駆動用のＤＣ５Ｖに変換して使用している。
【００１６】
電源ユニット５は、図４に示すように、電源部５ａと、電力用接続端子５ｂと、通信用接続端子５ｄ、５ｃと、中継部材５ｅを備えている。電源部５ａは、商用電源のＡＣ１００Ｖを遊技機２が必要する電圧（通常はＤＣ２４Ｖ）に変換するものであり、変圧回路、整流回路、平滑回路等を有している。電力用接続端子５ｂには電力ケーブルが接続される。通信用接続端子５ｄと５ｃには通信ケーブルが接続される。中継部材５ｅは通信信号を通過させるだけで、格別の処理をしない。電源ユニット５は基本的に通信系から独立している。
【００１７】
台ユニット３は、図５に例示するように、通信部３ａと、電圧変換回路３ｇと、制御部３ｅと、通信用接続端子３ｂ、３ｃ、３ｄと、電力用接続端子３ｋ、３ｍと、遊技機２に電力を供給するための接続端子３ｆを備えている。
電力用接続端子３ｋと３ｍは台ユニット３の内部で接続されている。電圧変換回路３ｇは、電力用接続端子３ｋに供給されるＤＣ２４Ｖを、ＩＣ駆動用のＤＣ５Ｖ電源に変換する。通信部３ａは、上位の島ユニット４と下位の遊技機２（本例では、想像線で示したように、接続端子３ｄに接続した通信ケーブルを介して４台の遊技機が接続されている。）との間の通信を可能とする通信インターフェイスを構成している。制御部３ｅは、マイクロコンピュータ３ｈとスイッチング部３ｊを有し、スイッチング部３ｊは接続端子３ｆから遊技機２に供給される電圧（この場合ＤＣ２４Ｖ）のオン・オフを制御する。接続端子３ｆと接続端子３ｋはスイッチング部３ｊを介して接続されており、スイッチング部３ｊがオンすると、接続端子３ｆにはＤＣ２４Ｖが加えられ、このＤＣ２４Ｖが遊技機２に給電される。通信部３ａと制御部３ｅは、電圧変換回路３ｇで変換された電圧で駆動される。
【００１８】
島ユニット４と、電源ユニット５と、台ユニット３の接続関係を図６に例示する。島ユニット４の通信用接続端子４ｃには通信ケーブルが接続されて、島ユニット４とホールコンピュータ１０が接続される。島ユニット４の通信用接続端子４ｂには通信ケーブルが接続されて、電源ユニット５に接続される。
電源ユニット５は、島ユニット４と台ユニット３の間で用いられる場合と、２台の台ユニット３の間で用いられる場合がある。図６では、島ユニット４と台ユニット３（３１）の間で用いられる電源ユニット５（５１）と、台ユニット３（３４）と台ユニット３（３５）の間で用いられる電源ユニット５（５２）を例示している。
電源ユニット５（５１）が島ユニット４と台ユニット３（３１）の間で用いられる場合、通信用接続端子５ｄは島ユニット４からの通信ケーブルに接続され、通信用接続端子５ｃは台ユニット３（３１）からの通信ケーブルに接続される。通信用接続端子５ｄと通信用接続端子５ｃは中継部材５ｅで直接に接続されており、中継部材５ｅは通信信号を通過させるだけであり、電源ユニット５は基本的に通信伝達系から独立している。電源ユニット５（５２）が、２台の台ユニット３（３４と３５）の間で用いられる場合、通信用接続端子５ｄは一方の台ユニット３（３４）からの通信ケーブルに接続され、通信用接続端子５ｃは他方の台ユニット３（３５）からの通信ケーブルに接続される。電源ユニット５は通信を通過させるだけで、通信のための処理をしない。
台ユニット３は、電源ユニット５を介して島ユニット４に接続される場合（３１参照）と、他の台ユニットに接続される場合（３２、３３）と、電源ユニットを介して他の台ユニットに接続される場合（３４、３５）がある。
電源ユニット５を介して島ユニット４に接続される場合には、通信用接続端子３ｂには電源ユニット５からの通信ケーブル８が接続される。通信用接続端子３ｃには他の台ユニット３からの通信ケーブル８が接続される。他の台ユニットに接続される場合には、通信用接続端子３ｂには一方側の他の台ユニット３からの通信ケーブル８が接続され、通信用接続端子３ｃには他方側の他の台ユニット３からの通信ケーブル８が接続される。電源ユニット５を介して他の台ユニットに接続される場合には、通信用接続端子３ｃまたは３ｂのいずれかが、電源ユニット５からの通信ケーブル８に接続される。
【００１９】
図６の場合、４台の台ユニット３１〜３４とそれに接続されている計１６台の遊技機に対しては、電源ユニット５（５１）から電力が供給される。外部の商用電源（ＡＣ１００Ｖ）から供給される電力は、電源ユニット５の電源部５ａでＤＣ２４Ｖに変換されたうえで、電力用接続端子５ｂから電力ケーブル７を介して台ユニット３の接続端子３ｋに入力され、制御部３ｅと電圧変換回路３ｇに入力される。隣接する台ユニット３の相互間では、接続端子３ｋと３ｍの間を電力ケーブル７で接続されている。
電源ユニット５と台ユニット３の間、および隣接する台ユニット３の相互間を繋ぐ電力ケーブル７と通信ケーブル８は、同じ場所を通っているので多芯のケーブル束が使用できる。あるいは電力ケーブル７と通信ケーブル８を結束して一本化したケーブル束を使用することができる。したがって、ケーブルの配線煩雑さが避けられ、接続工事が容易になる。また、電源ユニット５は、通信網から実質的に独立しており、遊技機が使用する電力容量に合わせて電源ユニット５の数と位置を任意に設定することができる。ネットワーク（ＬＡＮ）の構成に影響することもない。
【００２０】
台ユニット３の通信用接続端子３ｄには通信ケーブルが接続されて４台の遊技機に接続され、電力用接続端子３ｆには電力ケーブルが接続されて４台の遊技機の電力消費型機器に接続される。台ユニット３と遊技機２を繋ぐ電力ケーブルと通信ケーブルは、同じ場所を通っているので多芯のケーブル束が使用できる。あるいは電力ケーブルと通信ケーブルを結束して一本化したケーブル束を使用することができる。
【００２１】
図６では、通信ケーブル８が白丸付で示され、電力ケーブル７が黒丸付で示されている。通信ケーブル８で構成されるネットワークに表面上は電源ユニット５が関与しているが、電源ユニット５の内部では中継部材５ｅが通信信号を通過させているだけで、機能の上では電源ユニット５は通信網（ネットワーク）の構成に寄与していない。
【００２２】
図６の場合、１台の電源ユニット５に４台の台ユニットと１６台の遊技機を接続しているが、必要に応じて、１台の電源ユニット５に対して、１台の台ユニットと４台の遊技機を接続してもよいし、２台の台ユニットと８台の遊技機を接続してもよいし、３台の台ユニットと１２台の遊技機を接続してもよいし、あるいは５台以上の台ユニットと２０台以上の遊技機を接続してもよい。
【００２３】
電源供給システムの別例について説明する。図７の電源供給システムは、図６の電源供給システムに対して電源ユニットを追加した例を示している。１台の電源ユニットでは、４台の台ユニットと１６台の遊技機に必要な電力容量が確保できないので、台ユニット３２と３３の間に電源ユニット５９を追加し、１台の電源ユニットで２台の台ユニットと８台の遊技機に電力を供給するように改良されている。この場合、追加された電源ユニット５９が台ユニット３３と３４に給電する。
図６と図７を対比すると明らかに、図７中に一点鎖線で囲まれるように、電源ユニット５９を追加して電力ケーブル７と通信ケーブル８で接続するだけで、図６から図７に改良される。不要な部品が発生せず、簡単に改良できる。
【００２４】
電力供給システムのさらに別例について説明する。図８は、電源ユニット５と台ユニット３の関係についていくつかのパターンを示したものである。図８では通信ケーブルの図示が省略されている。同図（イ）は１台の電源ユニット５から４台の台ユニット３に給電する例であり、前述した図６の電力供給システムに対応している。同図（ロ）は１台の電源ユニット５から２台の台ユニット３に給電する例であり、前述した図７の電力供給システムに対応している。同図（ハ）は１台の電源ユニット５から１台の台ユニット３に給電する例である。また、同図（ニ）は２台の電源ユニット５から１台の台ユニット３に給電する例である。なお、この場合は電圧差による逆流を防ぐためにダイオード２０等の逆流防止手段を講じるのが好ましい。
【００２５】
なお、実施形態の説明では遊技機の一例としてパチンコ遊技機を示したが、本発明はこれに限られるものではなく、他にコイン遊技機やスロットマシンなどのように、電源の供給を受けてその遊技制御がなされる遊技機であればすべて対象となる。
【００２６】
【発明の効果】
以上説明したように本発明の電源供給システムによれば、遊技機設置島に設置される遊技機群に対応してほぼ過不足のない給電が容易にできるようになる。
【図面の簡単な説明】
【図１】  実施形態に係る遊技機設置島の概略を示す斜視図である。
【図２】  パチンコホールの通信経路を示すブロック図である。
【図３】  島ユニットを説明するブロック図である。
【図４】  電源ユニットを説明するブロック図である。
【図５】  台ユニットを説明するブロック図である。
【図６】  島ユニットと電源ユニットと台ユニットの接続関係を説明する図であり、電力供給システムを示す。
【図７】  電力供給システムの別例を説明する図であり、電源ユニットを追加した例を示す。
【図８】  電源供給システムのさらに別例を説明する図である。
【符号の説明】
１：遊技機設置島
２：パチンコ遊技機（遊技機）
３：台ユニット（台管理装置）
３ａ：通信部（通信手段）
４：島ユニット（島管理装置）
５：電源ユニット（電源装置）
５ｅ：中継部材（中継手段）
７：電力ケーブル
８：通信ケーブル
【図１】
0004269135.tif 000002
【図２】
0004269135.tif 000003
【図３】
0004269135.tif 000004
【図４】
0004269135.tif 000005
【図５】
0004269135.tif 000006
【図６】
0004269135.tif 000007
【図７】
0004269135.tif 000008
【図８】
0004269135.tif 000009